(57)【要約】【課題】箱体と板材を組み合わせる組立家具において板材の重複箇所をなくすことでコストの低減を図り同時に外観を良好にする。【解決手段】四角枠状の基本ボックスＡの４隅の左右上端縁には連結用凸部２４あるいは連結用凹部２３のいずれか一方が設けられ、左右下端縁には上記連結用凸部２４あるいは連結用凹部２３のいずれか他方が設けられ、基本ボックスＡの連結用凸部２４に斜め上方の基本ボックスＡの連結用凹部２３を凹凸嵌合させて連結させ、端面では基本ボックスＡの４隅に形成された傾斜面２０ａ同士が接合され、かつ、上記基本ボックスＡの間に形成される空間の２辺あるいは１辺を、上記連結用凹部２３あるいは連結用凸部２４と凹凸嵌合する被連結用凸部２７あるいは被連結用凹部３０が設けられている連結板材１１によって連結し連結ボックスをＢ形成し、該連結板材１１の前端面は上記傾斜面２０ａと接合する傾斜面とされている構成としている。【選択図】  図１
2004305337.tif 000002
【特許請求の範囲】
【請求項１】
四角枠状のボックスが水平方向、垂直方向あるいは／および斜め方向に任意個数連続させて組み立てられる組立家具であって、
四角枠状に組み立てられる基本ボックスの４隅の少なくとも前端面は傾斜面とされていると共に、４隅の左右上端縁には連結用凸部あるいは連結用凹部のいずれか一方が設けられていると共に、左右下端縁には上記連結用凸部あるいは連結用凹部のいずれか他方が設けられ、
上記基本ボックスの連結用凸部に斜め上方の基本ボックスの連結用凹部を凹凸嵌合させて連結させると共に前端面では傾斜面同士が接合され、
かつ、上記基本ボックスの間に形成される空間の２辺あるいは１辺を連結して連結ボックスを形成する連結板材とを備え、該連結板材の前端面は上記基本ボックスの傾斜面と接合する傾斜面とされていると共に、該連結部材の両端には上記基本ボックスの連結用凹部あるいは連結用凸部と凹凸嵌合する被連結用凸部あるいは被連結用凹部が設けられていることを特徴とする組立家具。
【請求項２】
上記基本ボックスは対向を同一形状とした２種類の第１、第２基本板材からなり、これら第１、第２基本板材の接合端縁の長さ方向両端部には、一方の第１基本板材に組付用凸部を設けると共に第２基本板材に組付用凹部を設けて凹凸嵌合で組み付け、且つ、上記組付用凹部および凸部の先端側に上記傾斜面が設けられ、さらに、上記第１基本板材の上下いずれか一方の接合端縁の長さ方向の中間位置には上記連結用凹部を設けると共に上下いずれか他方の接合端縁の長さ方向の中間位置に上記連結用凸部が設けられている請求項１に記載の組立家具。
【請求項３】
斜上位置及び斜下位置に連結される４個の基本ボックスに囲まれて形成される囲繞ボックスを備えている請求項１または請求項２に記載の組立家具。
【請求項４】
上記第１、第２基本板材及び連結板材の前面側の端面が、前方に突出するＶ形状とされている請求項２または請求項３に記載の組立家具。
【請求項５】
上記第１基本板材の連結用凸部と他の第１基本板材の連結用凹部、第１基本板材の連結用凸部と上記連結板材の被連結用凹部、第１基本板材の連結用凹部と上記連結板材の被連結用凸部は、それぞれ凹凸嵌合された状態で連結面は凹凸の無い面とされている請求項２乃至請求項４のいずれか１項に記載の組立家具。
【請求項６】
上記基本ボックス、連結ボックスあるいは／および囲繞ボックスの背面側に一体的あるいは個別的に背面板が取り付けられている請求項１乃至請求項５のいずれか１項に記載の組立家具。
【請求項７】
上記第１、第２基本板材あるいは／および連結板材は木材板、金属板、樹脂板、ガラス板から選ばれた１種あるいは複数種から形成されている請求項２乃至請求項６のいずれか１項に記載の組立家具。
【請求項８】
上記第１、第２基本板材あるいは／および連結板材が、四角形状の無垢板あるいは中空板に端縁に、凹部および凸部が形成された別部材の接合端縁材を固定して形成されている請求項２乃至請求項７のいずれか１項に記載の組立家具。
【発明の詳細な説明】
【０００１】
【発明の属する技術分野】
本発明は、組立家具に関し、詳しくは、板材を組み合わせて任意数のボックスを組み立てるものである。
【０００２】
【従来の技術】
従来より、設置場所や用途に合わせて多様な組み合わせが可能な組立家具が提供されている。
例えば、特許文献１（特開平８−３６６号）には、図１７（Ａ）に示すような箱体１を複数個用意し、図１７（Ｂ）に示すように、上下左右にこの箱体１を接合させて連結する組立家具２が開示されている。このような組立家具２は、箱体１を多数連結することで設置スペースにあわせて自由に大きさを調整でき、また箱体１を設置場所で組み立てて家具を形成することが可能であるため、大きな家具を設置する場合でも小さい箱体２のみを運搬すればよく、設置場所への搬入が簡単にできるという利点がある。
【０００３】
また、特許文献２（特開平５−４２０２１号）には、図１７（Ｃ）に示すように、複数の箱体５及び側板７を所定の間隔をあけて配置し、該箱体５及び側板７の上部に一枚の天板６を載置して、箱体５間及び箱体５と側板７の間にも収納部を形成した組立家具１００が開示されている。
【０００４】
【特許文献１】
特開平８−３６６号公報
【０００５】
【特許文献２】
特開平５−４２０２１号公報
【０００６】
【発明が解決しようとする課題】
しかしながら上記特許文献１に開示された組立て家具２の場合、２以上の箱体１を隣接させて連結するため、例えば箱体１Ａ、１Ｂが接触する面Ｆにおいては隣接する２つの箱体１Ａ、１Ｂの板材が重複することになり無駄な部材が生じることになる。従って、特に多数の箱体を使用した大きい家具を組み立てる場合には、板材の重複が多数発生し不経済であると同時に、家具全体の重量も増え、設置や移動が手間取るという問題があった。また、板材の重複部分Ｆが前面から見えるため、外観的にも好ましくなかった。
【０００７】
また、特許文献２に開示された組立て家具１００では、左右方向では板材の重複はないものの、各箱体５及び側板７の上面に長尺な天板６を載置して箱体５及び側板７を連結するため、箱体５の上部では箱体５の上面の板と天板６が重複することが避けられない。また、天板６は、最終的に組み立てられる家具の幅と同じ長さであることが必要であり、多数の箱体５を連結する大きい家具を組み立てる場合には、長い天板６が必要となり、大きな天板用の部材を設置場所まで搬入する必要が生じる。
【０００８】
本発明は上記問題に鑑みてなされたものであり、箱体と板材を組み合わせて組み立てる組立家具において、部材の重複箇所をなくし、設置や移動を容易にでき且つ外観も良好にすることを課題としている。
【０００９】
【課題を解決するための手段】
上記課題を解決するため、本発明は、四角枠状のボックスが水平方向、垂直方向あるいは／および斜め方向に任意個数連続させて組み立てられる組立家具であって、
四角枠状に組み立てられる基本ボックスの４隅の少なくとも前端面は傾斜面とされていると共に、４隅の左右上端縁には連結用凸部あるいは連結用凹部のいずれか一方が設けられていると共に、左右下端縁には上記連結用凸部あるいは連結用凹部のいずれか他方が設けられ、
上記基本ボックスの連結用凸部に斜め上方の基本ボックスの連結用凹部を凹凸嵌合させて連結させると共に前端面では傾斜面同士が接合され、
かつ、上記基本ボックスの間に形成される空間の２辺あるいは１辺を連結して連結ボックスを形成する連結板材とを備え、該連結板材の前端面は上記基本ボックスの傾斜面と接合する傾斜面とされていると共に、該連結部材の両端には上記基本ボックスの連結用凹部あるいは連結用凸部と凹凸嵌合する被連結用凸部或いは被連結用凹部が設けられていることを特徴とする組立家具を提供している。
【００１０】
上記のように、本発明では、まず、予め組み立てられる基本ボックスの４隅には、連結用凹部、連結用凸部が設けられているため、斜め方向の基本ボックスを凹凸嵌合で連結していくことができる。かつ、連結時には、少なくとも前面側では傾斜面同士が接合されてクロス状の連結部を形成することができる。
また、例えば、上中央の１個の基本ボックスの左右斜め下に連結した２個の基本ボックスに挟まれた空間には、その下辺に１枚の連結板材を組みつけるだけで１つの連結ボックスを形成できる。このように、板材を重複させることなく、同一形状のボックスを任意に設けていくことができる。
【００１１】
上記予め組み立てられる基本ボックスは、４枚の板材を止め具や接着剤で連結しているが、４枚の板材を凹凸嵌合で組みつけてもよく、あるいは凹凸嵌合させた状態で止め具で固定してもよい。
【００１２】
好ましくは、上記基本ボックスは対向を同一形状とした２種類の第１、第２基本板材からなり、これら第１、第２基本板材の接合端縁の長さ方向両端部には、一方の第１基本板材に組付用凸部を設けると共に第２基本板材に組付用凹部を設けて凹凸嵌合で組み付け、且つ、上記組付用凹部および凸部の先端側に上記傾斜面が設けられ、さらに、上記第１基本板材の上下いずれか一方の接合端縁の長さ方向の中間位置には上記連結用凹部を設けると共に上下いずれか他方の接合端縁の長さ方向の中間位置に上記連結用凸部が設けられている。
【００１３】
上記のように、２種類の基本板材から構成される基本ボックスを任意個数連結し、これらの基本ボックスの間に形成される空間の２辺あるいは１辺を連結板材によって連結するため、任意の数の基本ボックス及び連結板材を上下左右方向に交互に組み付けることで任意の大きさの家具を簡単に構築できる。それと同時に、基本ボックス同士の空間は連結板材を介して連結されるため、基本ボックス同士が面を接して隣接することがなく、組み立てられた家具において板材が重複する箇所が存在しない。よって、材料の重複がなく材料コストを低減できると同時に、板材が重複する箇所がないため外観的にも好ましい家具となる。
【００１４】
また、基本ボックス自体も２種類の第１、第２基本板材を組付用凹部と組付用凸部の凹凸嵌合によって形成されているため、連結板材を含めて主な構成部材がすべて板材からなる。よって、例えば、多数の基本ボックスと連結ボックスが連続した大型の組立家具を構築する場合にも、コンパクトな板状の部材を設置場所へ搬入してから組み立てればよく、大型家具の組み立てが容易にできる。
さらに、基本ボックスの４隅に形成された傾斜面と、連結板材の接合端縁に形成された傾斜面が接合可能に形成されているため、基本ボックスと連結板材を結合した場合に、各斜面同士が隙間なく接合した状態で連結され、基本ボックスと連結板材の連結部分が隙間のない連続した連結部分となる。
さらに、上記第１基本板材に形成された連結用凹部、連結用凸部によって基本ボックス同士が連結され、同時に第１基本板材に形成された連結用凹部、連結用凸部と連結板材の被連結用凹部、被連結用凸部によって基本ボックスと連結板材が連結されているため、各部材の連結が凹凸嵌合で連結されることになり組み立て時の位置決めや連結作業が容易にできる。
【００１５】
上記のように、基本ボックス同士を斜上位置及び斜下位置に連結できるため、４個の基本ボックスに囲まれた部分は、連結板材を用いることなく、１個のボックス（以下、囲繞ボックスと称す）となる。
【００１６】
上記第１、第２基本板材及び連結板材の前面側の端面が、前方に突出するＶ形状とされていることが好ましい。
上記形状とすると、目に付きやすい家具の前面が、前方に向かって細幅になっているためスッキリした印象に仕上がると同時に、基本ボックス同士および基本ボックスと連結板材のクロス状連結部分では、十字状の突出が位置してつなぎ目が一層目立ちにくくなる。
【００１７】
上記第１基本板材の連結用凸部と他の第１基本板材の連結用凹部、第１基本板材の連結用凸部と上記連結板材の被連結用凹部、第１基本板材の連結用凹部と上記連結板材の被連結用凸部は、それぞれ凹凸嵌合された状態で連結面は凹凸の無い面とされている。
上記構成とすると、基本ボックス同士、基本ボックスと連結板材の連結面によって形成される組立家具の上面、底面、側面のエッジ部に凹凸がない面一の面に形成され、外観が良好な家具となる。
【００１８】
上記基本ボックス、連結ボックスあるいは／および囲繞ボックスの背面側に一体的あるいは個別的に背面板を取り付けてもよい。
上記のように四角枠状で前後面開口のボックスの背面側に背板を取り付けると、各ボックス内に収納する物が背後から落下することが防止できる。
【００１９】
上記第１、第２基本板材あるいは／および連結板材は木材板、金属板、樹脂板、ガラス板から選ばれた１種あるいは複数種から形成される。
木材板のみから形成しても良いし、木材とアルミ板とを組み合わせてもよく、さらに、カラー付きの樹脂板とガラスとも組み合わせてもよく、好みに応じた多様な外観を持たせることができる。
【００２０】
また、上記第１、第２基本板材あるいは／および連結板材は、板部の接合端縁に凹凸部を一体的に設けたものが好ましいが、四角形状の無垢状板状の板材、あるいは中空状の板材の端縁に、凹部および凸部が形成された別部材の接合端縁材を固定して形成してもよい。
例えば、金属板からなる場合には中空状とすると軽量化が図れ、透明樹脂板で中空部を設けると、該中空部に任意のカラー板を挿入して用いると、多様な外観を付与することができる。
【００２１】
本発明の組立家具の形状については、基本ボックスと連結板材の組み合わせ方によって種々の形状の組立家具を形成することができるが、例えば、以下のような形状の組立家具を形成することが可能である。
第１例では、基本ボックスを、一段目は３個、二段目は２個、三段目は３個のように交互に同数ずつ３段以上の奇数段に積み上げ、底面、側面及び上面に形成される基本ボックス間の箱体用空間を連結板材で連結して連結ボックスを形成することによって、板材が重複することのない外形が四角形状を呈する組立家具を設けることができる。
上記構成とすると、底面、側面及び上面に面していない部分に、上下左右方向を４つの基本ボックスによって囲まれて４面が形成される囲繞ボックスが形成される。
【００２２】
第２例では、基本ボックスを、最下段が３個、次の段は２個、最上段は１個というように、すぐ下の段より箱体の数が１つずつ少なくなるようにして下段の基本ボックスの間に上段の基本ボックスが配置されるように上下に複数段重ね、且つ底面における基本ボックス間の空間を上記連結板材によって連結して、上方に向かって収納部が少なくなる山型の組立家具を設けることができる。
上記構成とすると、最下段にのみ基本ボックスと底面の連結板材とで囲まれた連結ボックスが形成され、中段部には４つの基本ボックスに囲まれた囲繞ボックスが形成されることになる。
【００２３】
第３例では、２つの基本ボックスを斜め上下方向に重ね、２枚の連結板材によって、上段の基本ボックスの側面と、下段の基本ボックスの底面を直角に連結することで、階段状の組立家具を設けることができる。
上記構成とすると、家具の右下部分に２面が基本ボックスに囲まれ、その他の２面が連結板材に囲まれた連結ボックスが形成される。
【００２４】
【発明の実施の形態】
以下、本発明の実施形態を図面を参照して説明する。
図１乃至図１１は第１実施形態を示す。
図１は第１実施形態の組立家具１０の正面図であり、該組立家具１０は、左右５列、上下５段で、合計２５個の同一形状のボックスの連結体からなり、外形が四角形状を呈する。図１に示すように、上記２５個のボックスのうち、１３個が基本ボックスＡ１〜Ａ１３，８個が連結ボックスＢ１〜Ｂ８、４個が囲繞ボックスＣ１〜Ｃ４である。
【００２５】
組立家具１０は基本ボックスＡを構成する第１基本板材２１、第２基本板材２２と、３種類の連結板材、即ち、第１連結板材１１、第２連結板材１２及び第３連結板材１３を連結して形成している。
図１に示すように、組立家具１０の底面１０ａ、上面１０ｂ及び両側面１０ｃに面した位置に配置された基本ボックスの間には第１連結板材１１、第２連結板材１２または第３連結板材１３によって囲まれた連結ボックスＢ１〜Ｂ８がそれぞれ形成されている。
また、斜め上下方向にすべて基本ボックスＡが配置されている位置には、該基本ボックスＡに４面を囲まれた囲繞ボックスＣ１〜Ｃ４が形成されている。
【００２６】
基本ボックスＡ、第１連結板材１１、第２連結板材１２及び第３連結板材１３の各構成の詳細は以下のとおりである。
【００２７】
まず、前後両面が開口の四角枠状に組付けられる基本ボックスＡを構成する第１基本板材２１と第２基本板材２２のうち、第１基本板材２１は、図４（Ａ）乃至（Ｃ）に示すように、正面（前面）視略長方形の板体で、長辺の周縁端面は、板の厚みの中心線が線状の頂点Ｘ−１となるようにＶ形状とされている。
【００２８】
第１基本板材２１の各短辺の両端部には、第２基本板材２２と嵌合するための組付用凸部２１ａが形成されている。該組付用凸部２１ａの内側部分の接合端縁は、図４（Ｂ）に示すように、第１基本板材２１の一面側２１ｅから他面側２１ｆに向かって広がるような斜面２１ｇが形成されるようにカットされている。
また、第１基本板材２１の一方の接合端縁の中央部には連結用凸部２４が形成され、他方の接合端縁の中央部には連結用凹部２３が形成されている。
両接合端縁の端面にはそれぞれ二箇所ずつピン孔２５が穿設されている。
【００２９】
第２基本板材２２は、図５（Ａ）乃至（Ｃ）に示すように、第１基本板材２１と長辺及び短辺の長さ及び厚みの等しい正面視略長方形の板体であり、長辺の周縁端面が、第１基本板材２１の長辺と同様に、線状の頂点Ｘ−２が形成されるようにＶ字状とされている。
【００３０】
第２基本板材２２の両短辺には、第１基本板材２１を組み付けた際に、第１基本板材２１の組付用凸部２１ａを嵌合可能な組付用凹部２２ａが形成されている。組付け凹部２２ａの端面も上記長辺の周縁端面と同様に、先細状に斜めにカットされて接合端縁の斜面２２ｂとして形成されている。
【００３１】
上記のような第１基本板材２１と第２基本板材２２から基本ボックスＡを形成するには、まず、第１基本板材２１と第２基本板材２２をそれぞれ２枚ずつ用意し、２枚の第１基本板材２１を、連結用凸部２４のある一方の短辺が上になるように箱体の側面として対向させて配置する。
一方、残り２枚の第２基本板材２２は、箱体の上面及び底面になるように、且つ各長辺が前後面の開口端面になるように配置する。
この状態で、各板材の接合端縁を接合していくが、この時、第２基本板材２２の組付用凹部２２ａ内に第１基本板材２１の組付用凸部２１ａを嵌合し、接着剤またはピン留め等の固定手段（図示せず）で第１基本板材２１と第２基本板材２２を固定し，前後面が正方形状に開口している筒状の基本ボックスＡを形成する。
【００３２】
このような基本ボックスＡには、第１基本板材２１と第２基本板材２２の接合端縁同士が接合されている４箇所の接合部分が形成される。
このうち、基本ボックスＡの上部の２箇所の接合部分Ｙには、図３に示すように第１基本板材の連結用凸部２４が上方に突設された状態で現れている。
一方、基本ボックスＡの下部に形成された残りの２箇所の接合部分Ｚには、図２に示すように、中央部に第１基本板材の連結用凹部２３が現れている。
また、基本ボックスＡの開口面の４つの隅部には、図２（Ｂ）に示すように、第１基本板材２１の斜面２１ｇと第２基本板材２２の斜面２２ｂとが当接することによって、各隅部が正面視斜めにカットされた傾斜面２０ａが形成されている。
【００３３】
次に、連結板材としての、第１連結板材１１、第２連結板材１２  及び第３連結板材１３の詳細について説明する。
第１連結板材１１は、図６（Ａ）乃至（Ｃ）に示すように、第１基本板材２１と、長辺及び短辺の長さ及び厚みが等しい正面視略長方形の木製の板体であり、長辺の周縁部端面は、板の厚み中心線が線状の頂点Ｘ−３として形成されるようにＶ形状とされている。
【００３４】
第１連結板材１１の接合端縁としての短辺の各角部には端部突起１１ａ〜１１ｄが形成され、該端部突起１１ａ〜１１ｄは、第１連結板材１１の一面側１１ｅから他面側１１ｆに向かって広がるような傾斜面１１ｇが形成されるように斜めにカットされている。
該傾斜面１１ｇは、基本ボックスＡの４隅の傾斜面２０ａに当接されるように形成されている。
第１連結板材１１の両接合端縁の中央部には、被連結用凸部２７が突設され、該被連結用凸部２７の中央部にはピン孔２８が穿設されている。
該被連結用凸部２７の大きさおよび形状は基本ボックスＡの接合部分Ｚに現れている連結用凹部２３内に隙間なく嵌合できるように形成されている。
【００３５】
第２連結板材１２は、図７（Ａ）乃至（Ｃ）に示すように、基本板材２１と、長辺及び短辺の長さ及び厚みが等しい正面視略長方形の木製の板体であり、長辺の周縁部端面は、板の厚み中心線が頂点Ｘ−４となるようにＶ形状とされている。
【００３６】
第２連結板材１２の接合端縁となる短辺のうちの一方の中央部には被連結用凸部２９が突設され、該被連結用凸部２９の両側端部には、第２連結板材１２の一面側１２ｅから他面側１２ｆに向かって広がるような傾斜面１２ｇが形成されるようにカットされた端部突起１２ａ，１２ｂが形成されている。
該端部突起１２ａ，１２ｂの傾斜面１２ｇは、上記基本ボックスＡの４隅の傾斜面２０ａに当接されるように形成されている。
被連結用凸部２９の大きさおよび形状は基本ボックスＡの接合部分Ｚに現れている連結用凹部２３内に隙間なく嵌合できるように形成されている。
【００３７】
他方の接合端縁の中央部には被連結用凹部３０が形成され、該被連結用凹部３０の両側端部には、第２連結板材１２の一面側１２ｅから他面側１２ｆに向かって広がるような傾斜面１２ｈとなる端部カット部１２ｃ，１２ｄが形成されており、該傾斜面１２ｈも基本ボックスＡの４隅の傾斜面２０ａに当接されるように形成されている。
被連結用凹部３０の大きさおよび形状は基本ボックスＡの接合部分Ｙに突設されている連結用凸部２４を隙間なく嵌合できるように形成されている。
両接合端縁の端面にはそれぞれ２箇所ずつピン孔３１が穿設されている。
【００３８】
第３連結板材１３は、図８（Ａ）乃至（Ｃ）に示すように、上記第１及び第２連結板材１１，１２と同様に第１基本板材２１と、長辺及び短辺の長さ及び厚みが等しい正面視略長方形の木製の板体であり、上記第１及び第２連結板材１１、１２と同様に長辺の周縁端面がＶ字状とされ線状の頂点Ｘ−５が形成されている。
【００３９】
第３連結板材１３の接合端縁となる両短辺の４つの端部には、一面側１３ｅから他面側１３ｆに向かって広がるような傾斜面１３ｇとなるようにカットされた端部カット部１３ａ〜１３ｄが形成されており、該傾斜面１３ｇは基本ボックスＡの４隅の傾斜面２０ａに当接されるように形成されている。
第３連結板材１３の両接合端縁の中央部には被連結用凹部３２が形成され、両接合端縁の側部にはそれぞれ２箇所にピン孔３３が穿設されている。
該被連結用凹部３２の大きさおよび形状は基本ボックスＡの接合部分Ｙに突設されている連結用凸部２４を隙間なく嵌合できるように形成されている。
【００４０】
次に、基本ボックスＡ、第１連結板材１１、第２連結板材１２、第３連結板材１３を連結して図１に示すような２５個のボックスを有する組立家具を組立てる方法について説明する。
【００４１】
まず、図９に示すように最下段に位置する３個の基本ボックスＡ１〜Ａ３を、開口面を前後にして且つ基本ボックスＡの４面のうち第２基本板材２２の面が底面及び上面になるような位置で横一列に配列する。この時，隣り合う基本ボックスＡの間には、第１連結板材１１の長辺の長さと同じ長さの間隔をあける。
【００４２】
つぎに、基本ボックスＡ間に生じた底面側に開口した空間３７を以下のような手順で第１連結用部材１１を介して、連結ボックスＢ１、Ｂ２を形成しながら連結していく。
まず、第１連結板材１１を一面側１１ｅが上面、すなわち、ボックス内面になるように配置して、第１連結板材１１の一方の被連結用凸部２７を、一方側に隣接する基本ボックスＡの連結用凹部２３内に嵌合させる。さらに、他方の被連結用凸部２７を、他方側に隣接する基本ボックスＡの連結用凹部２３内に嵌合させて２個の基本ボックスＡ間に連結ボックスＢを形成しながら連結する。
第１連結板材１１と基本ボックスＡの固定は、第１連結板材１１のピン孔２８にピンを通して固定する。
【００４３】
この時、図１０（Ａ）（Ｂ）に示すように、基本ボックスＡの隅部に形成されている傾斜面２０ａと、第１連結板材１１に形成された端部突起１１ｄの傾斜面１１ｇが隙間なく当接するため、前側端面において基本ボックスＡと第１連結板材１１の連結部分は隙間なく連続した状態になる。
【００４４】
また、基本ボックスＡの連結用凹部２３内に第１連結板材１１の被連結用凸部２７を嵌合させた場合に、両者は隙間なく嵌合するため、家具の底面１０ａとなる第１連結板材１１の他面側１１ｆと基本ボックスＡの底面の連結面は凹凸が存在しない面一の面となる。
【００４５】
基本ボックスＡ及び第１連結板材１１の端面は、それぞれ板の厚みの中心線が頂点となるようにＶ字とされているため、基本ボックスＡの端面には頂点Ｘ−１、Ｘ−２が、第１連結板材１１には頂点Ｘ−３が現れている。これらの頂点は、基本ボックスＡ及び第１連結板材１１の連結部分において、水平方向には連続した一本の線となり、また、垂直方向においては３本の線が一点Ｐで交わり、各部材の頂点Ｘ−１、Ｘ−２、Ｘ−３は分断することなく連続する。
従って、基本ボックスＡ及び第１連結板材１１の連結部分は図１０（Ｂ）に示すような連続した形状になりつなぎ目が目立たない。
【００４６】
次に、上下方向に基本ボックスＡを連結するが、まず、上記のように、第１連結板材１１を介して左右方向に３つ連結された基本ボックスＡ１〜Ａ３の上部に２つの基本ボックスＡ４、Ａ５を積み上げる。
【００４７】
基本ボックスＡ４、Ａ５は、開口面を前後にして且つ２枚の第２基本板材２２が上面及び底面になる方向で基本ボックスＡ１〜Ａ３の間に載置する。そして、図２に示すように、基本ボックスＡ１の右上の接合部分Ｙの連結用凸部２４と、基本ボックスＡ４の左下の接合部分Ｚの連結用凹部２３を凹凸嵌合させて、ピン孔２５にピン（図示せず）を通して固定する。
【００４８】
同様にして、基本ボックスＡ４の右下の接合部分Ｙと基本ボックスＡ２の左上の接合部分Ｚ、基本ボックスＡ５の左右下の接合部分Ｙと、基本ボックスＡ２の右上の接合部分Ｚ及び基本ボックスＡ３の左上の接合部分Ｚの連結用凸部２４と連結用凹部２３をそれぞれ嵌合し固定して合計５個の箱体が２段に積み上げられる。
【００４９】
この基本ボックスＡ同士の連結部分を前面から見ると、図１１（Ａ）に示すように、基本ボックスＡ１，Ａ４の隅部の傾斜面２０ａ同士が隙間なく当接している。同時に両基本ボックスＡ１、Ａ４の頂点Ｘ−１、Ｘ−２が連結部分の中央の一点Ｐで交わり連続するため、両基本ボックスＡ１、Ａ４の連結部分はつなぎ目が目立たず連続的に形成される。
【００５０】
次に、３段目の基本ボックスＡ６、Ａ７、Ａ８を、２段目と同様に基本ボックスＡ４，Ａ５の斜めに位置するように嵌合固定しながら連結する。
この状態では、１段目の両端の基本ボックスＡ１、Ａ３と、３段目の両端の基本ボックスＡ６、Ａ８の間に側面方向に開口した空間３８が生じる。この空間３８を第２連結板材１２によって連結して連結ボックスＢ３，Ｂ４を形成しながら家具１０の側面１０ｃを形成する。
【００５１】
第２連結板材１２は一面側１２ｅがボックス内面になるように、上方の基本ボックスＡの連結用凹部２３内に被連結用凸部２９を、下方の基本ボックスＡの連結用凸部２４を被連結用凹部３０内へそれぞれ嵌合させて連結する。そしてピン孔３１にピン（図示せず）を通して固定する。
【００５２】
この場合も、図１１（Ｂ）に示すように、基本ボックスＡの傾斜面２０ａと、第２連結板材１２の端部突起１２ａ，１２ｂまたは端部カット部１２ｃ，１２ｄの傾斜面１２ｇ，１２ｈが隙間なく当接する。
さらには基本ボックスＡの連結用凹部２３、連結用凸部２４と、第２連結板材１２の被連結用凸部２９、被連結用凹部３０が隙間なく嵌合しあうことで、家具１０の側面１０ｂは凹凸なく面一の面に形成される。
【００５３】
このように、一段に基本ボックスＡが３個配置される奇数段と、基本ボックスＡが２個配置される偶数段を交互に繰り返して、計１３個の基本ボックスＡを図１及び図９に示すように５段まで積み上げていく。
【００５４】
最上段の５段目においては、図９に示すように、基本ボックスＡ１１と基本ボックスＡ１２、基本ボックスＡ１２と基本ボックスＡ１３の間に上方へ開口した空間３９が生じる。この空間３９に、第３連結板材１３を長辺が前後になるように且つ第３連結板材１３の一面側１３ｅが下面になるようにして配置していく。この時、左右の基本ボックスＡの上部にはそれぞれ連結用凸部２４が露出するが、該連結用凸部２４を、第３連結板材１３の被連結用凹部３２内に嵌合しながら基本ボックスＡと第３連結板材１３を連結し、ピン孔３３にピン（図示せず）を通し固定していく。
このように空間３９は第３連結板材１３によって基本ボックス間が連結され、最上段にも連結ボックスＢ７，Ｂ８が形成される。
【００５５】
この場合も、図１１（Ｃ）に示すように、基本ボックスＡの傾斜面２０ａと、第３連結板材１３の端部カット部１３ａ〜１３ｄの傾斜面１３ｇが隙間なく当接し基本ボックスＡと第３連結板材１３の連結部分もつなぎ目が目立たずに連結される。
さらには、基本ボックスＡの連結用凸部２４と第３連結板材１３の被連結用凹部３２が隙間なく当接して嵌合しあうことで、家具１０の上面１０ｂも凹凸のない面一の面に形成される。
【００５６】
このようにして形成された家具１０は、図１に示すように、各ボックスの仕切り部分において板が２重に重なることがなく、且つ、底面１０ａ、上面１０ｂ及び両側面１０ｃがすべて凹凸のない面一の状態となる。
また、家具の前面において、各板材のＶ字の頂点Ｘ−１乃至Ｘ−５が連続するため、各部材のつなぎ目は目立たず外観を損なうことがない。
【００５７】
この組立家具１０には、２段目、３段目、４段目には４面すべてを基本ボックスで囲まれることで形成された囲繞ボックスＣ１〜Ｃ４が計４個形成される。
【００５８】
次に、本発明の第２実施形態を説明する。
第２実施形態では、図１２（Ａ）に示すように、２個の基本ボックスＡの上部に１個の基本ボックスＡを積み上げ、基本ボックスＡの間の空間の底面を一枚の第１連結板材１１によって連結し、基本ボックスＡと第１連結板材１１に囲まれた連結ボックスＢを１個形成し、全部で４つのボックスを有する山型の家具４０としている。
基本ボックスＡ及び第１連結板材１１の構成は第１実施形態と同様であるため説明は省略する。
【００５９】
第２実施形態の組立家具４０では、１種類の第１連結板材１１と基本ボックスＡを用意して、基本ボックスＡを積み上げて底面部のみを第１連結板材１１で連結するだけで、山型の組立家具が形成できる。
この第２実施形態の組立家具４０では、最下段に２個の基本ボックスを配置し２段の家具を形成したが、最下段に配置する基本ボックスの数を３個以上にして２個以上の連結ボックスが形成されるようにした３段以上の大きな山型の組立家具を形成することもできる。
【００６０】
第３実施形態の組立家具５０を図１２（Ｂ）に示す。
第３実施形態では、２個の基本ボックスＡ１、Ａ２を斜め上下方向に連結し、下段の基本ボックスＡ１の側方底面及び上段の基本ボックスＡ２の下方側面にそれぞれ第１連結板材１１、第２連結板材１２の一端を連結し、第１連結板材１１、第２連結板材１２の他端同士を直角に連結することで基本ボックスＡ１、Ａ２と第１連結板材１１、第２連結板材１２によって囲まれた連結ボックスＢ１が１個形成された、計３つのボックスを有する階段状の家具５０としている。
基本ボックスＡ、及び第１連結板材１１、第２連結板材１２の構成は第１実施形態と同様であるため説明は省略する。
【００６１】
このように、第１連結板材１１、第２連結板材１２同士を連結して隣接する２面を形成することで、基本ボックスと連結板材を組み合わせた階段状の組立家具を形成することができ、この場合においても、上記第１及び第２実施形態と同様に各ボックスには板材の重複箇所はない。
また、このような第３実施形態の家具の場合には、２種類の第１連結板材及び第２連結板材と基本ボックスを用意して、それぞれを連結させることで家具を組み立てることができる。
【００６２】
第３実施形態では２個の基本ボックスＡ１，Ａ２を使用して二段の階段状の家具５０を形成したが、３個以上の基本ボックスを使用して３段以上の階段状の家具を形成することもできる。
【００６３】
尚、上記各実施形態では、第１基本板材と第２基本板材、第１連結板材〜第３連結板材を木製の板材を所定の形状にカットしたものから形成したが、各板材は木製に限らず、例えば樹脂や金属を成形したものであってもよく材質は問わない。  また、これらの異なる材質を組み合わせてもよい。例えば、基本ボックスの第１基本板材を木製とし、第２基本板材を金属として、各連結板材も、金属と木材が交互に配置されるように金属と木材からそれぞれ形成して、木材と金属が交互に組み付けられるようにしてもよい。
【００６４】
また、第１基本板材と第２基本板材、第１連結板材〜第３連結板材の各部材は一体物であることは条件ではなく、たとえば、図１３に示すように、樹脂シートを折り曲げ加工して上下に凸状部を有する筒状の板状体６０ａを形成し、一方、一体成形によって所定の組付用凹凸部または連結用凹凸部を形成した連結部６０ｂを別体物として形成し、板状体６０ａの両端部に該連結部６０ｂを接合することで、第１基本板材、第２基本板材、第１連結板材、第３連結板材を形成してもよい。
【００６５】
特に、樹脂によって上記各部材を形成する場合には、すべて一体成形によって形成すると樹脂材料が多量に必要になり、重量も重くなるため材料コストがかさむことになるが、上記のように板状体６０ａの部分を樹脂シートから形成した中空品とした場合には、軽量となり材料樹脂も少量で済むという利点がある。
【００６６】
また、上記各実施形態では、基本ボックスとして前後面が開口している筒状の箱体を使用したが、開口面の一面側に背板をはめ込んでもよい。この場合には、図１４に示すように、各基本板材の周縁部に溝７１形成し、基本ボックスを組み付ける際に、最後の板材を組み付ける前に背板７２を溝７１にはめ込むことで背板７２をつけた基本ボックス７３を形成することができる。
さらに、各連結板材にも溝を形成し、各基本ボックスと基本ボックスの間を連結して連結ボックスまたは囲繞ボックスを形成する際に背板を嵌合していくことで、全体に背板を有する組立家具を形成することができる。
【００６７】
さらに、上記各実施形態では、基本板材、及び連結板材の長辺をそれぞれ等しい長さに形成して該長辺同士を連結することで、正面視正方形の収納部を有する家具を形成したが、例えば、図１５に示すように、正面視長方形の基本ボックスＡ１’〜Ａ８’を形成し、基本ボックスの長辺と等しい長さの連結板材８２，８４と、短辺の長さと等しい長さの連結板材８３を使用して、正面視長方形のボックスを有する家具８０を形成してもよい。
【００６８】
また、上記各実施形態では、家具の底面用の連結板材としての第１連結板材、側面用の連結板材としての第２連結板材、及び底面用の連結板材としての第３連結板材のように３種類の連結板材を使用し、各連結板材に基本ボックスに形成される連結用凹凸部をすべて隙間なく嵌合できる形状の被連結用凹凸部をそれぞれ形成したが、例えば、図１６（Ａ）乃至（Ｃ）に示すような、連結板材９０を一種類のみ使用して基本ボックスの間を連結することもできる。
【００６９】
該連結板材９０は、上記第１実施形態の第１連結板材１１と同様に、４つの角部に、基本ボックスの隅部に形成される傾斜面の接合可能な傾斜面が設けられた端部突起９０ａ〜９０ｄが形成されているが、第１連結板材１１の接合端縁である各短辺に形成されている被連結用凹部、被連結用凹部は形成されていない。
その他の構成は、第１連結板材１１と同様である。
このような、連結板材９０は、上記第１実施形態の組立家具の底面１０ａ、側面１０ｃ及び上面１０ｂのいずれにおいても、基本ボックスの間を連結することが可能であるが、この場合には、基本ボックスと連結板材９０の間に隙間が生じるため家具の底面、上面及び側面には部分的に凹部が形成されることになる。
【００７０】
また、基本板材、基本ボックスと連結板材間、基本ボックス間の固定手段として上記各実施形態ではピン止め固定することとしたが、固定手段は、ピン以外にも接着剤を使用してもよく、さらにはピンを使用せずに各連結部分の凹凸を圧入嵌合させることのみで固定してもよい。
この場合には、家具の組み立て、分解が容易になり、移動や再設置がよりしやすくなるという利点がある。
【００７１】
【発明の効果】
上記のように、本発明によれば、予め組み立てられた基本ボックスの４隅の形成された連結用凹部、凸部によって、任意個数の基本ボックスを斜め方向に連結することができ、且つこれらの基本ボックスの間に形成される空間を連結板材によって連結するため、基本ボックス同士が面を接して隣接することがなく、組み立てられた家具において板材が重複する箇所が存在しない。
従って、任意数を有する家具を材料の重複がなく低コストで提供できると同時に、外観上も板材の重なり部分がないため良好な組立家具を形成できる。
【００７２】
また、基本ボックス同士および基本ボックスと連結板材の連結部分の端面は、互いに接合する傾斜面が隙間なく当接した状態で連結されているため、連結部分におけるつなぎ目が目立たず、外観が良好な組立家具となる。
【００７３】
また、基本ボックスが２種類の基本板材を組付用凹部及び凸部を凹凸嵌合させることで形成された場合には、組立家具を構成する主な部材がすべて嵩張らない板材から構成でき、多数の収納部を有するかなり大型の組立家具を組み立てる場合にも、設置場所にコンパクトな状態の板材を搬入してその場で任意の大きさに組み立てればよい。従って、部材の搬入が容易であると同時に家具の組立作業と設置作業と同時に行える。
また、このような大型の組立家具を別の場所に移動する場合にも、元のコンパクトな板材に分解することによって、移動及び再設置が簡単にできる。
【００７４】
また、基本板材の組み付け、基本ボックス同士及び基本ボックスと連結板材との連結は凹凸嵌合によって行われるため、各部材の位置決め目や連結が容易であり、組み立て作業効率が良い。
【００７５】
また、組立家具の前面側の端面が前方に突出するＶ形状に形成された場合には、目に付きやすい家具の前面がスッキリした印象に仕上がると同時に、基本ボックス同士または基本ボックスと連結板材の連結部分のつなぎ目が一層目立たず好ましい外観の組立家具となる。
【００７６】
さらには、基本ボックスと連結板材の凹凸嵌合が、互いに隙間なく連結面が凹凸のない面に形成された場合には、組立家具の上面、下面及び両側面が滑らかな凹凸ない面一の面にでき、さらに外観上が良好な家具となる。
【００７７】
さらに、第１、第２基本板材あるいは／および連結板材が木材板、金属板、樹脂板、ガラス板から選ばれた１種あるいは複数種から形成した場合には、こあれらの材質から任意の材質を単独または任意に組み合わせて家具を形成することができ、好みに応じた様々な外観の家具を形成することができる。
【００７８】
また、第１、第２基本板材あるいは／および連結板材を、四角形状の無垢板あるいは中空板の端縁に、凹部および凸部が形成された別部材の接合端縁材を固定して形成した場合には、材料の軽量化が図れ、より低コストの家具が提供できると同時に、透明樹脂等から中空部を形成した場合には、これらの中空部にカラー板を挿入して、さらに多様なデザインの外観を付与することができる。
【図面の簡単な説明】
【図１】本発明の第１実施形態の組立家具の正面図である。
【図２】第１実施形態の基本ボックスを示す図であって、（Ａ）は２つの基本ボックスを斜め上下方向に連結する状態を前面の開口部側からみた斜視図、（Ｂ）は基本ボックスの隅部の部分拡大正面図である。
【図３】第１実施形態の基本ボックスを背面の開口部側からみた斜視図である。
【図４】第１実施形態の第１基本板材を示す図であって、（Ａ）は正面図、（Ｂ）は底面図、（Ｃ）は側面図である。
【図５】第１実施形態の第２基本板材を示す図であって、（Ａ）は正面図、（Ｂ）は底面図、（Ｃ）は側面図である。
【図６】第１実施形態の第１連結板材を示す図であって、（Ａ）は正面図、（Ｂ）は底面図、（Ｃ）は側面図である。
【図７】第１実施形態の第２連結板材を示す図であって、（Ａ）は正面図、（Ｂ）は底面図、（Ｃ）は側面図である。
【図８】第１実施形態の第３連結板材を示す図であって、（Ａ）は正面図、（Ｂ）は底面図、（Ｃ）は側面図である。
【図９】第１実施形態の組立家具を組み立てる状態を示す正面図である。
【図１０】第１実施形態の基本ボックスと第１連結板材の連結部分を示す要部拡大図であって、（Ａ）は連結する前の状態を示す要部拡大正面図、（Ｂ）は連結した状態を示す要部拡大正面図である。
【図１１】（Ａ）は第１実施形態の基本ボックス同士の連結部分を示す要部拡大正面図、（Ｂ）は第１実施形態の基本ボックスと第２連結板材の連結部分を示す要部拡大正面図、（Ｃ）は第１実施形態の基本ボックスと第３連結板材の連結部分を示す要部拡大正面図である。
【図１２】（Ａ）は第２実施形態の組立家具の組み立てる状態を示す正面図、（Ｂ）は第３実施形態の組立家具の組み立てる状態を示す正面図である。
【図１３】他の形態の基本板材及び／または連結板材を示す斜視図である。
【図１４】他の形態の基本ボックスを組み立てる状態を示す概略斜視図である。
【図１５】他の形態の組立家具の組み立てる状態を示す概略正面図である。
【図１６】変形例の連結板材を示す図であって、（Ａ）は正面図、（Ｂ）は底面図、（Ｃ）は側面図である。
【図１７】従来の組立家具を示す図であって、（Ａ）は従来の組立家具に使用される箱体を示す斜視図、（Ｂ）は従来の組立家具を示す斜視図、（Ｃ）は従来の組立家具の組み立てる状態を示す斜視図である
【符号の説明】
１０  組立家具
１１  第１連結板材
１２    第２連結板材
１３    第３連結板材
Ａ    基本ボックス
２１    第１基本板材
２１ａ  組付用凸部
２２    第２基本板材
２２ａ  組付用凹部
２３    連結用凹部
２４    連結用凸部
２７    被連結用凸部（第１連結板材）
２９    被連結用凸部（第２連結板材）
３０    被連結用凹部（第２連結板材）
３２    被連結用凹部（第３連結板材）
Ｂ    連結ボックス
Ｃ    囲繞ボックス
７２    背板
【図１】
2004305337.tif 000003
【図２】
2004305337.tif 000004
【図３】
2004305337.tif 000005
【図４】
2004305337.tif 000006
【図５】
2004305337.tif 000007
【図６】
2004305337.tif 000008
【図７】
2004305337.tif 000009
【図８】
2004305337.tif 000010
【図９】
2004305337.tif 000011
【図１０】
2004305337.tif 000012
【図１１】
2004305337.tif 000013
【図１２】
2004305337.tif 000014
【図１３】
2004305337.tif 000015
【図１４】
2004305337.tif 000016
【図１５】
2004305337.tif 000017
【図１６】
2004305337.tif 000018
【図１７】
2004305337.tif 000019